(57)【要約】  本発明は、底部（６４）と側壁（６２）とを有する養殖網（６０）であって、該底部および該側壁は鋼線を備え、該底部は、侵入強度が該側壁の侵入強度よりも高いことによって、侵入強度差をもたらす養殖網に関する。養殖網の利点は、捕食動物が網に押し入るのを防止することである。
2015525080.tif 000002
【特許請求の範囲】
【請求項１】
養殖網であって、底部と側壁とを有し、前記底部および前記側壁は鋼線を備え、前記底部が、前記側壁の侵入強度よりも高い侵入強度を有することで侵入強度差が設けられている養殖網。
【請求項２】
前記侵入強度差は、
ａ）前記側壁のワイヤよりも高強度の鋼線を有する前記底部、
ｂ）前記側壁のワイヤよりも太い鋼線を有する前記底部、
ｃ）前記側壁よりも細かいワイヤ網目を有する前記底部、
ｄ）付加的メッシュ片が取り付けられた前記底部、および
ｅ）有刺線の使用、
のうちの何れか１つまたは任意の組合せによって実現されている、請求項１に記載の養殖網。
【請求項３】
底部の前記鋼線は、以下の特徴
ａ）１．６ｍｍより大きい鋼線径、
ｂ）７００ＭＰａより高い引張強度、
ｃ）４０ｍｍより小さいワイヤ網目開口、および
ｄ）前記付加的メッシュ片によって小さくされたワイヤ網目開口、
のうちの１つ以上を有する、請求項２に記載の養殖網。
【請求項４】
チェーンリンクフェンスである、請求項１〜３のいずれか１項に記載の養殖網。
【請求項５】
前記側壁は、下部と上部の少なくとも２つの部分を備え、前記下部は、前記上部の侵入強度よりも高い侵入強度を有する、請求項１〜４のいずれか１項に記載の養殖網。
【請求項６】
全体が平坦な底部を有する、請求項１〜５のいずれか１項に記載の養殖網。
【請求項７】
漏斗状の底部を有する、請求項１〜６のいずれか１項に記載の養殖網。
【請求項８】
前記鋼線は、防食性および／または防汚性が前記鋼線に付与されるように、金属および／またはポリマーの被膜を有する、請求項１〜７のいずれか１項に記載の養殖網。
【請求項９】
前記金属の被膜は、銅ニッケル合金である、請求項８に記載の養殖網。
【請求項１０】
前記有刺線は、外面に設置されている、請求項２〜９に記載の養殖網。
【請求項１１】
前記有刺線は、互いに網目５個分の間隔を置いて前記底部に設置されている、請求項１０に記載の養殖網。
【発明の詳細な説明】
【技術分野】
【０００１】
本発明は、侵入強度が特にその底部において高いことによって、捕食動物からの攻撃を防止する養殖網に関する。
【背景技術】
【０００２】
魚などの水生生物を育てるために、養殖網または養魚網が使用されている。養殖網は、水生生物を網の中で管理され収容された状態に維持する。しかしながら、アザラシまたはサメなどの捕食動物が、養殖網内の魚のサイズや種に関係なく、通常は夜間に網を攻撃する。アザラシは網と魚との両方に損害を与え、時には、攻撃の結果、魚が逃げることがあった。網の中の水生生物を捕食動物からいかに保護するか、すなわち、捕食動物と水産業との相互影響を緩和することが水産業の営みの主題であった。
【０００３】
緩和策は、捕食動物と水産業の営みとの間の相互影響を低減させるための漁業活動および／または漁具に対する改良であると説明することができる。
【０００４】
考えられる解決策の中には、海生哺乳類を漁場から追い払うまたは漁場を避けるように海生哺乳類を条件づける装置の使用がある。例えば、アザラシクラッカーまたは水中クラッカーなどの水面下で爆発する爆発装置が水中に投入される。また、音響ハラスメント装置または音響忌避装置が開発され、養殖網の近くに設置されている。忌避装置自体はアザラシの攻撃数を低減させるのに役立った。しかしながら、一方では、忌避装置はアザラシが養魚場を攻撃するのを防止することに完全には成功せず、水中音響アザラシ威嚇装置が存在していても多数の攻撃があった。他方で、高強度信号による海生哺乳類に対する長期の影響が分かっていないため、動物倫理と許可とに関連する随伴の問題がある。アザラシは、音響忌避装置によって忌避されないように思われるが、近距離で難聴を起こすかもしれない。
【０００５】
別の解決策は、個々のアザラシを捕獲と移転によって排除することである。しかしながら、移転は養魚業者のためになるが、これは他者を犠牲にする可能性があるため、海洋の養魚場からのアザラシの捕捉と移転との長所には異論がある。加えて、最も頻繁に養魚場を攻撃するおそれがあるアザラシ、すなわち、捕捉することができないアザラシまたは以前に捕獲排除されたアザラシにとって、この方法の有効性は限られている。そのため、捕獲および移転は大規模管理手段としては殆ど用いられていない。
【０００６】
アザラシが養魚場を攻撃するのを有効に防止する唯一の方法は、アザラシが侵入できない物理的障壁で漁網の近くからアザラシを締め出すことである。このような物理的障壁は現在使用され、可撓性ポリエチレン管の囲いの周りの周囲フェンス、およびスチールメッシュ製の保護網などがある。スチールメッシュは、菱形模様に編まれた鋼線のフェンスである。養殖網は、通常、チェーンリンクフェンスタイプのものである。網目は、寸法が網内に収容された魚の寸法よりも小さい。各鋼線は、山と谷を有する波模様を呈するように曲げ加工によって予備成形されている。波の谷またはトラフが最低振幅値を有する一方、波の山またはピークが最高振幅値を有する。鋼線の最大部は、一連の菱形の模様を形成するように隣接ワイヤの最小部と噛み合っている。
【０００７】
チェーンリンクフェンスタイプの養殖網は、水生生物を管理するのに、かつ捕食動物から保護するのに成功することが証明されている。しかしながら、経験上、チェーンリンクフェンスタイプの養殖網も捕食動物の攻撃による損害を完全には回避できないことが示されている。底部は、捕食動物が死んだ魚を捕らえケージに押し入ることができるため、決定的に重要な要素である。捕食動物は、ケージを繰り返し攻撃すること、（破壊するまで）ワイヤを変形させること、およびケージ内に入り込むまで網目サイズを大きくすることによってこれを行う。
【発明の概要】
【０００８】
本発明の目的は、従来技術の欠点を回避することである。
【０００９】
本発明のさらなる目的は、侵入強度が下部においてより高い養殖網を提供することである。
【００１０】
また、本発明の目的は、寿命の長い養殖網を提供することである。
【００１１】
本発明の第１の態様によれば、養殖網が提供される。養殖網は、少なくとも２つの部分、すなわち、下部と上部とに分けることができる。該下部は、侵入強度が該上部の侵入強度よりも高いことによって、侵入強度差をもたらす。
【００１２】
これによって、侵入強度は、侵入負荷または攻撃下での破損に対する養殖網の抵抗と定義することができ、捕食動物の攻撃に対する養殖網の強度を示す関連パラメータである。
【００１３】
網は、ポリエチレン、ポリエステル、またはポリアミドなどのポリマー製であることができる。網は、好ましくは金属線、例えば、鋼線製である。他の適した金属線は、銅合金またはチタン製である。
【００１４】
侵入強度差は、ａ）強度が該上部のワイヤよりも高いワイヤを有する該下部、ｂ）該上部のワイヤよりも太いワイヤを有する該下部、ｃ）網目が該上部よりも細かい該下部、ｄ）付加的メッシュ片を取り付けた該下部、および有刺線の使用のいずれか１つまたは任意の組合せによって実現される。
【００１５】
特に、養殖網の下部の該ワイヤは、以下の特徴、ａ）２．０ｍｍよりも大きいワイヤ径、ｂ）７００ＭＰａよりも高い引張強度、ｃ）４０ｍｍよりも小さいワイヤ網目開口、およびｄ）付加的メッシュ片によって小さくされた、例えば、４分割されたワイヤ網目開口のうちの１つ以上を有する。
【００１６】
これによって、網目開口は、通常、ダイヤモンド形状または菱形である。網目開口のサイズは、菱形の長い方の直線距離または長対角線と定義される。
【００１７】
本発明は、ワイヤまたはワイヤメッシュを一部分または一区域の侵入強度と組み合わせて区域毎の侵入強度を定めることによって、多くの実施形態に有効である。
【００１８】
養殖網はチェーンリンクフェンスとすることができる。
【００１９】
該下部は該養殖網の底部であり、該上部は該養殖網の側壁である。本明細書において用語「底部」とは、養殖網の最深または最下部を意味する。底部は、矩形もしくは円形形状を有する平坦な形態とすることができ、または漏斗形態とすることができる。側壁とは、養殖網の側部を形成する部分をさす。
【００２０】
養殖網、特に側壁は、網の底部に向かうにつれてより高い侵入強度の鋼線メッシュがより多く配置された区域に分けられていることが好ましい。区域は、水平に、すなわち水位に平行に配置されていることが好ましい。
【００２１】
養殖網は、下部、中間部、および上部の３つの部分を備えることができる。該下部は該養殖網の底部であり、該中間部と該上部とは、水平に配置され該養殖網の側壁を形成する。本明細書において、該下部は、侵入強度が該中間部の侵入強度よりも高く、該中間部は、侵入強度が該上部の侵入強度よりも高い。
【００２２】
別の例として、養殖網は、下部、中間部、および上部の３つの部分を備える。該下部は該養殖網の底部であり、該中間部と上部とは、水平に配置され該養殖網の側壁を形成する。この例では、該下部と該中間部とは侵入強度が同じであり、この侵入強度は該上部の侵入強度よりも高い。
【００２３】
鋼線は、３．０ｍｍよりも小さいワイヤ径を有することができる。３部分の実施形態において、上部は、直径が２．０ｍｍよりも小さい鋼線を有することができる。中間部は、直径が１．６０ｍｍから２．５ｍｍの範囲の鋼線を有することができる。下部は、直径が２．０ｍｍよりも大きい鋼線を有することができる。本明細書において、条件に変わりはなく、下部の鋼線径は中間部の鋼線径よりも大きく、中間部の鋼線径は上部の鋼線径よりも大きい。
【００２４】
特定の実施形態では、養殖網は完全に平らな底部を有することができる。あるいは、養殖網は漏斗状の底部を有することもできる。
【００２５】
養殖網のワイヤは鋼線であることができる。好ましくは、ワイヤはステンレス鋼線である。より好ましくは、該鋼線は、防食性および／または防汚性が該鋼線に付与されるように、金属および／またはポリマーの被膜を有する。最も好ましくは、養殖網は、亜鉛めっきされているか、または銅ニッケル合金の被膜が施されている。
【００２６】
被膜は、溶融めっき、電着、およびクラッディングなどの任意の利用可能な方法によって形成することができる。
【００２７】
金属被膜は、鋼芯の周りに固着された帯片または箔の形態であることができる。制御された組成および所定かつ所望の厚さの適切な金属の帯片は、管形態に形成できる。この帯片の幅は、被覆される鋼芯の円周よりもいくらか大きいか、またはこれと等しい。帯片は、管状に閉じられ、鋼芯上またはこの周りに溶着される。
【００２８】
好ましい実施形態では、該金属被膜は銅ニッケル合金である。銅ニッケル被膜は、銅の作用による汚損に対する、すなわち、網目構造物上で増殖するかもしれない汚損物質に対する良好な抵抗と、ニッケルによる腐食に対する良好な抵抗とをもたらすことが証明されている。
【００２９】
海洋または海が耐食性に関して非常に大きな課題になっている。この腐食性の高い環境に加えて、波と潮流とが、養殖網を絶え間ない繰り返しの運動にさらす。一方では、本発明の養殖網は良好な防汚性と耐食性とを有する。他方で、チェーンリンクフェンスタイプの本発明の養殖網において、各鋼線は、これよりも下方の網の残り部分の重量を支えなくてはならない。
【００３０】
加えて、有刺線は、該養殖網の外面に設置できる。好ましくは、該有刺線は、互いに網目５個分の間隔を置いて該養殖網の下部に設置される。
【００３１】
そのため、本発明による養殖網は、正方形、長方形または円筒形の形状を有することが好ましいが、ワイヤ径が異なり、部分または区域の高さが異なる区域を備える円錐形、球形または任意の他の形状として成形できる。一実施形態では、該養殖網は、１ｍ×１ｍ×１ｍ（長さ×幅×深さ）よりも大きい寸法を有する。
【００３２】
本発明の第２の態様によれば、ワイヤを備える養殖網であって、該ワイヤは、侵入強度が網の底部の侵入強度と比較して網の最上部に向かってより低くなる養殖網が提供される。
【００３３】
本発明によって提供される解決策は以下の原理に基づいている。網のうちより下方の部分ほど、捕食動物によって攻撃される機会が多く、網のこの部分の侵入強度がより高くなければならない。これは、網の上部と比較してより大きいワイヤ径、高い引張強度の鋼線、およびより小さい網目開口を有する網の下部を作製することによって実現することができる。
【００３４】
この強化効果は、網全体の重量軽減と侵入強度向上との全般的な最適化をもたらす。したがって、材料費および製造費を削減しつつ、養殖網の寿命が長くなる。
【図面の簡単な説明】
【００３５】
【図１】設置された養殖網（浮遊支持体）の上面図である。
【図２】設置された養殖網（浮遊支持体）の上面図である。
【図３】本発明の第１の実施形態による設置された養殖網の側面図である。
【図４】本発明の第２の実施形態によるチェーンリンクフェンス養殖網の側面図である。
【図５】本発明の第２の実施形態による養殖網の底部の図である。
【図６】本発明の第３の実施形態による、底部に有刺線を有する養殖網を示す図である。
【発明を実施するための形態】
【００３６】
図１は、本発明によって説明されている養殖網用筏１０の正方形の実施形態を示す。筏１０は、高密度ポリエチレン（ＨＤＰＥ）製浮揚装置１６によって支持された様々な亜鉛めっき鋼横材１２を備える。プラットホーム１４がそれに接続されている。プラットホーム１４上を人が歩き回ることができる。養殖網は、ロープまたはワイヤによって鋼横材１２に直接接続することができる。亜鉛めっき鋼横材１２、２２は、鋼線を用いた接続が使用される場合は、養殖網から隔離され、すなわち直接接触しない。あるいは、網と筏１０、２０との間の接続は、異なる材料が網と筏とに使用される場合に網と筏との間の金属接触を防止するために、ロープ、すなわち非金属材料を用いてなされる。
【００３７】
図２は、本発明によって説明されている養殖網用筏２０の円形の実施形態を示す。円形筏２０は、ブラケット２２によって互いに接続されたＨＤＰＥ管２６から作製できる。プラットホーム２４がそれに接続されている。養殖網は、ロープおよび／またはワイヤによって筏に直接吊るすことができる。養殖網の底部は、長方形または正方形の形状を依然として有することができ、それによって上部側は、円に近い形態（より正確には、多角形の形態）をとる。
【００３８】
実施形態１
図３は、本発明による設置された養殖網の実施形態の側面図を示す。浮遊支持体１０は、図１に示すような正方形のタイプのものである。養殖網は、ワイヤまたはロープ（図示せず）によって浮揚装置１６に接続されている。養殖網の底部は、図３には示されていない。網の側壁３０は、それぞれ侵入強度が異なるワイヤメッシュを有する２つの区域を備える。
【００３９】
第１の例では、ワイヤの直径および網目開口が養殖網全体にわたって同じである。上側または最上部区域３２は、引張強度が４００から８００ＭＰａの範囲のワイヤを有し、中央または中間区域３４のワイヤは、引張強度が６００から１０００ＭＰａの範囲であり、水中で最も深い下側または底部区域のワイヤは、引張強度が７００から１５００ＭＰａの範囲である。また、下部のワイヤの引張強度が上部の引張強度よりも高いことは変わらない。
【００４０】
第２の例では、ワイヤの引張強度および網目開口が養殖網全体にわたって同じである。上側または最上部区域３２は、直径が約１．６０ｍｍであり、中央または中間区域３４のワイヤは、直径が約１．８０ｍｍであり、水中で最も深い下側または底部区域のワイヤは、直径が約２．２０ｍｍである。
【００４１】
第３の例では、ワイヤの直径および引張強度が養殖網全体にわたって同じである。上側または最上部区域３２は、網目開口が４０から６０ｍｍの範囲であり、中央または中間区域３４のワイヤは、網目開口が３０から５０ｍｍの範囲であり、水中で最も深い下側または底部区域のワイヤは、網目開口が２０から４０ｍｍの範囲である。また、下部の網目開口が上部の網目開口よりも小さいことは変わらない。
【００４２】
加えて、上記のいずれかの２つまたは３つの例の組合せも可能である。例えば、下部のワイヤの引張強度は上部の引張強度よりも高く、下部の網目開口は上部の網目開口よりも小さい。
【００４３】
この実施形態では、養殖網の側壁が２つの区域３２および３４に分けられている。養殖網の側壁が、好ましくは水平に配置された複数の区域に分けられることも可能である。これによって、下側区域は、侵入強度が上側区域よりも高い。
【００４４】
３部分の実施形態では、中間部および上部または中間区域３４および上側区域３２は、サイズまたは高さが同じであることができる。あるいは、中間部３４および上部３２は、サイズまたは高さが異なることができる。一例として、上部の高さが中間部の高さよりも大きいことによって、養殖網の全体重量を軽減することができる。別の例として、中間部の高さが上部の高さよりも大きいことによって、捕食動物により攻撃されやすい部分の強度を高めることができる。
【００４５】
様々な区域３２、３４は、様々な方法で、例えば、隣接区域の側面開口を通り抜ける螺旋状鋼線によって、例えば、隣接区域の側面開口を通り抜ける金属ロープによって、または例えば、数本の結束線によって互いに接続することができる。
【００４６】
あるいは、養殖網の側壁からなる様々な区域は、別々の部分を形成するのではなく、底部区域のワイヤとは異なる同じタイプのワイヤ製の１つの連続する編まれたチェーンリンクフェンスの部分である。
【００４７】
実施形態２
図４は、本発明によるチェーンリンクフェンス養殖網４０の側部の代替実施形態を示す。養殖網は浮揚装置１６に直接接続されている。養殖網の側壁は、底部の侵入強度よりも低い同じ侵入強度を有する１つの連続する編まれたチェーンリンクフェンスの部分を備える。
【００４８】
この実施形態では、チェーンリンクフェンスの第１の最上部ワイヤ４２は、大部分の重量を支えることができかつ浮遊筏への取り付けを丈夫にすることができるように、最大の直径で作製することができる。下方のワイヤ４４、４６は、直径がより小さく、網の底部に向かってさらに小さくなる。
【００４９】
図５は、本発明の第２の実施形態による養殖網５０の底部の図である。この実施形態では、付加的チェーンリンクメッシュ５４を取り付けることによって、底部の侵入強度が強化されている。図５に示すように、付加的チェーンリンクメッシュ５４は、直径および引張強度が底部の元のチェーンリンクメッシュ５２と同じであることができる。さらに、付加的チェーンリンクメッシュ５４は、網目開口が元のチェーンリンクメッシュ５２と同じである。
【００５０】
２片のチェーンリンクメッシュ５２、５４は、様々な方法で、例えば、隣接部分の側面開口を通り抜ける螺旋状鋼線によって、例えば、隣接部分の側面開口を通り抜ける金属ロープによって、または例えば、数本の結束線によって互いに接続することができる。さらに、底部全体にわたって付加的接続を設けることができる。例えば、コネクタ５６が、網目５個分、網目１０個分または網目２０個分毎に設けられる。
【００５１】
図５に示すように、元のチェーンリンクメッシュが付加的チェーンリンクメッシュ片によってほぼ４つの同等の部分に分けられるように、２片のメッシュが配置されることが好ましい。
【００５２】
この実施形態は、養殖網がすでに製造または設置された後、捕食動物からの攻撃が当初見過ごされていた場合に、養殖網、特に底部を丈夫にすることができるようにしている。
【００５３】
同様に、養殖網をより丈夫にするために、さらに付加的チェーンリンクメッシュを取り付けることができる。特に、付加的チェーンリンクメッシュ片を比較的脆弱な領域、例えば、異なるチェーンリンクフェンス片の接続部分に設けることができる。
【００５４】
実施形態３
この実施形態では、捕食動物に対する付加的忌避手段として有刺線が含まれる。有刺線は、上記に紹介された養殖網のいずれにも施すことができる。有刺線は、養殖網６０の全体にわたって、すなわち側壁６２および底部６４に、または養殖網の底部６４のみに施すことができる。図６は、底部６４に有刺線６６を有する養殖網６０を示す。図６の養殖網は、漏斗状の丸い底部を示しているが、それは平坦な丸い底部または正方形の底部の養殖網を除外しない。
【００５５】
これによって、有刺線は、市販の従来の有刺線、例えば、ＭＯＴＴＯ（登録商標）ワイヤであることができる。有刺線は、養殖網で使用されるワイヤと同じ材料製であることができる。特に、金属有刺線および金属網の場合には、有刺線と網とは、異種金属接触腐食を防止するために同じ材料製であることが好ましい。
【００５６】
有刺線は、様々な方法で、例えば、チェーンリンクフェンスの側面開口を通り抜ける螺旋状鋼線によって、例えば、チェーンリンクフェンスを通り抜ける金属ロープによって、例えば、数本の結束線によって、または例えば、クリップによってチェーンリンクフェンスに接続することができる。コネクタを、例えば、網目５個分、網目１０個分または網目２０個分毎に設けることができる。
【００５７】
有刺線間の距離は異なることができる。しかしながら、有刺線間の距離は同じであることが好ましく、有刺線は網目５個分、網目１０個分または網目２０個分毎に離される。
【００５８】
本明細書に例示的に記載された本発明は、本明細書に具体的に開示されていない１つ以上の要素または１つ以上の限定なしに、適切に実施することができる。本発明は好ましい実施形態と任意選択の特徴とによって具体的に開示してきたが、本明細書に開示された具体化された本発明の変更および変形が当業者によって行い得ること、ならびにそのような変更および変形が本発明の範囲内であるとみなされることを理解されたい。
【符号の説明】
【００５９】
１０  正方形筏
１２  鋼横材
１４  プラットホーム
１６  ＨＤＰＥ製浮揚装置
２０  円形筏
２２  ブラケット
２４  プラットホーム
２６  ＨＤＰＥ管
３０  側壁
３２  最上部区域
３４  中央または中間区域
４０  養殖網の側部
４２  第１の最上部ワイヤ
４４  ワイヤ
４６  ワイヤ
５０  養殖網の底部
５２  元のチェーンリンクメッシュ
５４  付加的チェーンリンクメッシュ
５６  コネクタ
６０  養殖網
６２  側壁
６４  底部
６６  有刺線
【図１】
2015525080.tif 000003
【図２】
2015525080.tif 000004
【図３】
2015525080.tif 000005
【図４】
2015525080.tif 000006
【図５】
2015525080.tif 000007
【図６】
2015525080.tif 000008
【国際調査報告】
2015525080.tif 000009
2015525080.tif 000010
2015525080.tif 000011